(57)【要約】【課題】  低廉な費用で、簡易に、自分だけの書籍を作ることができる書籍製造方法を提供する。【解決手段】  本発明は、奥付１中の著者の欄を空白として製本した後、当該欄に著者名を印字付与することを特徴とする。本発明によれば、著者名は、製本した後に印字付与されるため、何も印刷されていない空白の頁に、個人が自由に詩や文章などを書き込んだ後、その著者として、自分の氏名等を奥付１中の著者の欄に印字付与することができ、最終的には、通常の書籍と比較して何等遜色のない奥付１を有する自分だけの書籍が完成することとなる。従って、個人であっても、低廉な費用で、簡易に、自分だけの書籍を作ることが可能となる。【選択図】  図１
2006150777.tif 000002
【特許請求の範囲】
【請求項１】
奥付中の著者の欄を空白として製本した後、当該欄に著者名を印字付与することを特徴とする書籍製造方法。
【発明の詳細な説明】
【技術分野】
【０００１】
本発明は、書籍の製造方法に関するものである。
【背景技術】
【０００２】
従来、書籍の奥付には、著者名が印刷されている。書籍を製造するにあたり、著者名を印刷する工程は、製本の前に行われるのが通常である。
ところで、一般に書籍を発行するには相当の費用が必要であり、作家等のように詩や文章などを書くことを職業とする者でない一個人が書籍を発行することは困難である。一方、そうした個人であっても、自らが書いた詩や文章などを書籍の形で残しておきたいという潜在的欲求がある。
【０００３】
【特許文献１】特開２００２−２９７５７９号公報
【発明の開示】
【発明が解決しようとする課題】
【０００４】
本発明は、上記事情に鑑みなされたものであり、低廉な費用で、簡易に、自分だけの書籍を作ることができる書籍製造方法を提供することを課題とするものである。
【課題を解決するための手段】
【０００５】
本発明は、上記課題を解決するため、奥付中の著者の欄を空白として製本した後、当該欄に著者名を印字付与することを特徴とする書籍製造方法を提供する。
【発明の効果】
【０００６】
本発明によれば、書籍の内容である詩や文章などがなくても、奥付中の著者の欄を空白として製本するため、製本においては、何も印刷されていない頁と、その巻末に奥付を付けたものを束ねて一冊子に形づくればよく、各頁の編集や印刷を省略できる。従って、書籍本体は、非常に低コストで大量に製造することができる。また、奥付においては、著者の欄は空白であるものの、発行者・印刷者等は製本前に印刷されるため、印刷された記述部分については、通常の書籍と比較して見劣ることもない。また、著者を特定しないままに製本するため、書籍本体を製造するにあたって、著者自身が費用的負担を強いられることもない。そして、著者名については、製本した後に印字付与されるため、何も印刷されていない空白の頁に、個人が自由に詩や文章などを書き込んだ後、その著者として、自分の氏名等を奥付中の著者の欄に印字付与することができ、最終的には、通常の書籍と比較して何等遜色のない奥付を有する自分だけの書籍が完成することとなる。従って、個人であっても、低廉な費用で、簡易に、自分だけの書籍を作ることが可能となる。
【発明を実施するための最良の形態】
【０００７】
以下、本発明の実施の形態を図面に示した実施例に従って説明する。
【実施例１】
【０００８】
図１は、本発明の一実施例を示すフローチャートである。この図に示したように、本実施例に係る方法によれば、最初に、白紙の頁に奥付を付けたものを製本した書籍本体が製造される。
【０００９】
ここで、製本直後の段階では、図２に示したように、奥付中の著者の欄が空白となっており、また、発行日も印刷されていない。
【００１０】
製本した書籍本体は、書店等での展示販売やインターネット等を介した通信販売等により、ユーザに配布される。
【００１１】
ユーザは、書籍本体の空白の各頁に、詩や文章などを自ら自由にレイアウトして表現することができる。
【００１２】
書籍の内容が完成したならば、書籍本体を購入した書店やホームページ等を介して、あるいは直接発行者（著者名等を印字付与する者）に、著者名と発行日の印字を依頼する。ここで、著者名は、書籍の内容を完成させたユーザ自身の氏名やニックネーム等となる。
【００１３】
発行者は、奥付中の著者の欄に著者名を印字付与する。奥付中の著者の欄への著者名の印字には、製本された状態でも、その紙面上に文字等を印字付与し得る印字装置が用いられる。かかる印字装置としては、例えば、商品名「ワードライタ  ＢＬ−８０」（マックス株式会社製）を用いることができる。
【００１４】
「ワードライタ  ＢＬ−８０」は、キーボードから入力された文字情報を印字部により紙面上に印字することができる電動式のタイプライタであり、この装置を用いれば、製本された状態でも、奥付中の著者の欄に、著者名を簡単に印字付与することができる。
【００１５】
本実施例では、書籍の発行日についても、奥付の所定の箇所に、上記の印字装置を利用して印字付与される。図３は、著者名と発行日が印字付与された奥付を示す図である。
【００１６】
発行者は、奥付中に著者名が印刷された書籍本体をユーザに引き渡すにあたり、該書籍本体に、著者名と書籍の題号（ユーザが任意に選択した書籍のタイトル）等を印刷したカバーを付けて引き渡すことができる。
【００１７】
上記の工程を経て完成した書籍は、通常の書籍と比較して何等遜色のない奥付を有するものとなる。
【００１８】
以上説明したように、本実施例によれば、奥付中の著者の欄を空白として製本するため、製本においては、何も印刷されていない頁と、その巻末に奥付を付けたものを束ねて一冊子に形づくればよく、各頁の編集や印刷を省略できる。従って、書籍本体は、非常に低コストで大量に製造することができる。
【００１９】
また、奥付においては、著者の欄は空白であるものの、発行者・印刷者等は製本前に印刷されるため、印刷された記述部分については、通常の書籍と比較して見劣ることもない。また、著者を特定しないままに製本するため、書籍本体を製造するにあたって、著者自身が費用的負担を強いられることもない。
【００２０】
そして、著者名については、製本した後に印字付与されるため、何も印刷されていない空白の頁に、個人が自由に詩や文章などを書き込んだ後、その著者として、自分の氏名等を奥付中の著者の欄に印字付与することができ、最終的には、通常の書籍と比較して何等遜色のない奥付を有する自分だけの書籍が完成することとなる。従って、個人であっても、低廉な費用で、簡易に、自分だけの書籍を作ることが可能となる。
【実施例２】
【００２１】
図４は、本発明の他の実施例を示すフローチャートである。この図に示したように、本実施例に係る方法も、実施例１に係る方法と同様に、最初に、白紙の頁に奥付を付けたものを製本した書籍本体が製造される。
【００２２】
ここで、製本直後の段階では、図２に示したように、奥付中の著者の欄が空白となっており、また、発行日も印刷されていない。
【００２３】
ユーザは、書籍本体の購入申し込みと同時に、著者名の印字を依頼する。著者名としては、ユーザ本人の氏名等であってもよいし、書籍本体を贈答品として購入する場合には、贈り相手の氏名等であってもよい。
【００２４】
発行者は、ユーザの依頼内容に応じて、奥付中の著者の欄に著者名を印字付与する。奥付中の著者の欄への著者名の印字には、実施例１に係る方法と同様に、例えば、商品名「ワードライタ  ＢＬ−８０」（マックス株式会社製）等の印字装置を用いることができる。また、本実施例においても、実施例１と同様に、奥付中に印刷される書籍の発行日が空白となっていることから、著者名の印字と同時に、奥付の所定の箇所に、上記の印字装置を利用して書籍の発行日が印字付与される。
【００２５】
本実施例では、上記のように、奥付に著者名及び発行日を印刷した上で、書籍本体がユーザに配布される。この際、該書籍本体に、著者名と書籍の題号等を印刷したカバーを付けて引き渡すことができることは勿論である。
【００２６】
ユーザは、書籍本体の空白の各頁に、詩や文章などを自ら自由にレイアウトして表現することができる。そして、ユーザ自身が書籍の内容を完成させることで、最終的に自分だけの書籍が完成する。
【００２７】
以上説明したように、本実施例によれば、書籍本体がユーザに配布される前に、ユーザの氏名等が著者名として奥付中の著者の欄に印字されることになるが、この場合でも、書籍の各頁を空白とすれば、各頁の編集や印刷を省略できるし、また、何も印刷されていない空白の頁に、ユーザが自由に詩や文章などを書き込むことにより、最終的には、通常の書籍と比較して何等遜色のない奥付を有する自分だけの書籍が完成することとなる。従って、個人であっても、低廉な費用で、簡易に、自分だけの書籍を作ることが可能となる。
【図面の簡単な説明】
【００２８】
【図１】本発明の一実施例を示すフローチャートである。
【図２】上記実施例における製本直後の奥付を示す図である。
【図３】著者名と発行日が印字付与された奥付を示す図である。
【図４】本発明の他の実施例を示すフローチャートである。
【符号の説明】
【００２９】
１  奥付
【図１】
2006150777.tif 000003
【図２】
2006150777.tif 000004
【図３】
2006150777.tif 000005
【図４】
2006150777.tif 000006